(57)【特許請求の範囲】
【請求項１】
音声情報または映像情報である主情報に付加情報が多重された放送を受信でき、受信した主情報及び付加情報を出力部に出力させるように構成された受信機が、付加情報を受信して、一杯になったときには古い付加情報が破棄され新たな付加情報が蓄えられるメモリに、当該受信した付加情報を格納し、
上記受信機が、送信元の情報処理端末と通信接続されたときには、上記メモリに格納した付加情報中に、あらかじめ利用者の操作部での入力操作によって当該送信元の情報処理端末に設定されたキー情報であって上記受信機と当該送信元の情報処理端末とが通信接続されたときに当該送信元の情報処理端末から上記受信機に送信されたキー情報が含まれているか否かを判断し、当該キー情報が含まれているときには、当該付加情報とこれが関連する番組の主情報とを共に、当該送信元の情報処理端末に送信し、
上記送信元の情報処理端末が、上記受信機から送信された付加情報とこれが関連する番組の主情報とを共に、通信ネットワークを介して送信先の情報処理端末に送信する
付加情報転送方法。
【請求項２】
請求項１の付加情報転送方法において、
付加情報にヘッダ部とデータ部が存在する場合に、前記キー情報として、付加情報のヘッダ部に含まれる情報を、前記送信元の情報処理端末に設定し、前記送信元の情報処理端末から前記受信機に送信し、ヘッダ部を含む付加情報を前記受信機から前記送信元の情報処理端末に送信する付加情報転送方法。
【請求項３】
請求項１の付加情報転送方法において、
前記受信機では、受信している番組以外の番組の付加情報をも受信して前記送信元の情報処理端末に送信する付加情報転送方法。
【発明の詳細な説明】
【０００１】
【発明の属する技術分野】
この発明は、デジタルラジオ放送などの、音声情報（音響情報）または映像情報である主情報に付加情報が多重された放送を受信して、その付加情報を受信機から離れた場所に転送する方法に関する。
【０００２】
【従来の技術】
デジタルラジオ放送は、欧州では、Ｅｕｒｅｋａ１４７方式のＤＡＢ（Ｄｉｇｉｔａｌ  Ａｕｄｉｏ  Ｂｒｏａｄｃａｓｔｉｎｇ）として、すでに放送が開始されており、日本や米国などでも、放送が考えられている。
【０００３】
デジタルラジオ放送では、音楽などの音声情報を高品質で伝送することができるだけでなく、番組に関連するテキストデータや画像ファイルなどの付加情報を、主情報である音声情報に多重して放送することができる。
【０００４】
付加情報としては、（１）放送サービス（番組）の番号（ＩＤ）、タイトル、カテゴリーなどの情報、（２）番組内容に関する情報として、音楽番組であればアーティスト名や曲名などの情報、（３）タイムスタンプ（時刻情報）、（４）その他の付随情報（追加情報）、が考えられている。
【０００５】
付随情報は、例えば、音楽番組であれば、番組で放送される曲の歌詞や、番組に出演するアーティストのコンサートに関する事柄などを示すテキストデータであるが、例えば、番組で放送される曲が記録されているＣＤのジャケットの画像をＪＰＥＧ（Ｊｏｉｎｔ  Ｐｈｏｔｏｇｒａｐｈｉｃ  Ｅｘｐｅｒｔｓ  Ｇｒｏｕｐ）圧縮し、そのＪＰＥＧファイルの実データと、ＪＰＥＧファイルであることを示すヘッダ情報とを、付加情報の一部の付随情報として放送することも可能である。
【０００６】
このようなデジタルラジオ放送を受信できる受信機では、音声情報とともに受信された付加情報を、メモリに蓄え、ＬＣＤ（液晶ディスプレイ）などのディスプレイ上に表示する。
【０００７】
【発明が解決しようとする課題】
しかし、受信機のメモリとしては、比較的小容量のものを用いるので、メモリに多くの付加情報を蓄えることができないとともに、ディスプレイとしても、画面の比較的小さいものを用いるので、表示が乏しいものとなる。しかも、付加情報の二次的利用ができず、特に受信機から離れた場所で付加情報を利用することができない。
【０００８】
そこで、受信機で受信した付加情報を、受信機からＰＣ（パーソナルコンピュータ）などの情報処理端末に転送して、情報処理端末のディスプレイ上に表示し、記憶装置に記録するとともに、情報処理端末から通信ネットワーク上に送信して、通信ネットワーク上に接続された他の情報処理端末に転送することが考えられる。これによれば、付加情報の二次的利用が可能となり、特に受信機から離れた場所で付加情報を利用することができるようになる。
【０００９】
この場合の、付加情報を転送する方法としては、（１）受信機で受信した付加情報を、そのまま全て転送する、（２）そのときディスプレイ上に表示されている付加情報を、利用者の選択によって転送する、（３）タイマーによって予約した番組の付加情報を転送する、という方法が考えられる。
【００１０】
しかしながら、（１）の方法では、利用者に不必要な付加情報までも転送されてしまい、情報処理端末の記憶容量の点で効率が悪いとともに、利用者が後で必要な付加情報を検索閲覧するのに大きな労力を要する、という問題がある。
【００１１】
また、（２）の方法では、受信機での受信中に利用者が受信機の場所に居ない場合には、付加情報を転送することができない、という問題があり、（３）の方法では、利用者があらかじめ番組を分かっていない場合には、付加情報を転送することができない、という問題がある。
【００１２】
（３）の方法については、デジタルラジオ放送では、ＥＰＧ（Ｅｌｅｃｔｒｏｎｉｃ  Ｐｒｏｇｒａｍ  Ｇｕｉｄｅ：電子番組表）が送られない場合もあり、送られる場合でも、利用者がそれを見ないときや、見たときでも番組のタイトルやカテゴリーだけのときには、どのアーティストの、どの曲であるか、などは分からない。
【００１３】
そこで、この発明は、利用者が必要とする付加情報のみを、受信機での受信中に利用者が受信機の場所に居ない場合や、利用者があらかじめ番組を分かっていない場合でも確実に、受信機から離れた場所に転送し、受信機から離れた場所で受信することができるようにしたものである。
【００１５】
この発明の付加情報転送方法では、音声情報または映像情報である主情報に付加情報が多重された放送を受信でき、受信した主情報及び付加情報を出力部に出力させるように構成された受信機が、付加情報を受信して、一杯になったときには古い付加情報が破棄され新たな付加情報が蓄えられるメモリに、当該受信した付加情報を格納し、受信機が、送信元の情報処理端末と通信接続されたときには、メモリに格納した付加情報中に、あらかじめ利用者の操作部での入力操作によって送信元の情報処理端末に設定されたキー情報であって受信機と送信元の情報処理端末とが通信接続されたときに送信元の情報処理端末から当該受信機に送信されたキー情報が含まれているか否かを判断し、当該キー情報が含まれているときには、当該付加情報とこれが関連する番組の主情報とを共に、送信元の情報処理端末に送信し、送信元の情報処理端末が、受信機から送信された付加情報とこれが関連する番組の主情報とを共に、通信ネットワークを介して送信先の情報処理端末に送信する。
【００１６】
上記のような、この発明の付加情報転送方法では、受信機で受信された付加情報のうち、利用者があらかじめ送信元の情報処理端末に対して設定した、好きな番組のカテゴリーや好きなアーティストの名前などのキー情報を含む付加情報のみが、送信元の情報処理端末から通信ネットワークを介して送信先の情報処理端末に送信されるので、利用者が必要とする付加情報のみを、受信機での受信中に利用者が受信機の場所に居ない場合や、利用者があらかじめ番組を分かっていない場合でも確実に、受信機から離れた場所に転送し、受信機から離れた場所で受信することができる。またこれと共に、この発明の付加情報転送方法では、キー情報を含む付加情報とともにこれが関連する番組の主情報とが、送信元の情報処理端末から通信ネットワークを介して送信先の情報処理端末に送信されるので、利用者が必要とする付加情報に関連する番組の主情報を、受信機から離れた場所で受信することができる。
【００１７】
【発明の実施の形態】
〔システムの実施形態〕
図１は、この発明の付加情報転送方法を行うシステムの一例を示す。この例のシステムでは、受信機１００が、通信手段３００によって、送信元の情報処理端末の一例としてのＰＣ２００に接続され、ＰＣ２００が、通信ネットワーク４００上に接続される。通信ネットワーク４００上には、送信先の情報処理端末の一例としてのＰＣ５１０および５２０が接続されるとともに、無線通信手段６３０および６４０によって、送信先の情報処理端末の一例としての携帯電話機５３０およびページャー５４０が接続される。
【００１８】
受信機１００は、音声情報に付加情報が多重されたデジタルラジオ放送を受信できるもので、アンテナ１１１が接続され、各種のボタンやキーなどからなる操作部１４０、表示部としてのＬＣＤ１６０、および後述のデータ通信部を備えるものとされる。
【００１９】
ＰＣ２００は、ＣＰＵや記憶装置を有する本体部２１０、キーボード２４１やマウス２４２などからなる操作部２４０、ＣＲＴディスプレイやＬＣＤなどの表示部２６０、後述のデータ通信部、および後述のネットワーク通信部を備えるものとされる。
【００２０】
通信手段３００は、ＵＳＢ（Ｕｎｉｖｅｒｓａｌ  Ｓｅｒｉａｌ  Ｂｕｓ）やＢｌｕｅｔｏｏｔｈ（近距離無線通信の仕様の一つ）などの、有線または無線によって受信機１００とＰＣ２００との間で相互に通信を行うことができ、付加情報を転送するのに十分な伝送速度を有するものとされる。
【００２１】
通信ネットワーク４００は、インターネットやＬＡＮ（Ｌｏｃａｌ  ＡｒｅａＮｅｔｗｏｒｋ）などで、ＰＣ２００、ＰＣ５１０，５２０、携帯電話機５３０、ページャー５４０など、通信ネットワーク４００上に接続される情報処理端末には、ＩＰ（Ｉｎｔｅｒｎｅｔ  Ｐｒｏｔｏｃｏｌ）アドレスなどの、それぞれの端末を一意に決定しうるＩＤが設定される。
【００２２】
図２は、受信機１００の一例を示す。デジタルラジオ放送では、ＰＣＭ（パルス符号変調）によってデジタル化した音声情報を、ＭＰＥＧ（Ｍｏｖｉｎｇ  Ｐｉｃｔｕｒｅ  Ｅｘｐｅｒｔｓ  Ｇｒｏｕｐ）−１  Ａｕｄｉｏ  Ｌａｙｅｒ−IIなどの圧縮方式によって圧縮符号化し、さらに伝送路符号化（誤り訂正の機能の付加）するとともに、付加情報を伝送路符号化して、音声情報と付加情報を多重化し、その多重化された信号を、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）などの変調方式によって変調し、ＲＦ信号に変換して送信する。
【００２３】
受信機１００では、アンテナ１１１で受信された放送信号が、チューナ部１１２で、選択され、周波数変換され、復調された上で、伝送路復号化部１１３で、伝送路復号化され、さらに音声情報については、オーディオ復号化部１１４で、伸長復号化され、Ｄ／Ａ変換部１１５で、アナログ音声信号に変換され、オーディオアンプ１１６，１１７で、アナログ音声信号が増幅されて、スピーカ１１８，１１９に供給される。
【００２４】
受信機１００は、車載用やポータブル用などとして構成することができ、車載機として構成する場合には、スピーカ１１８，１１９として、車に設けられたスピーカが用いられ、ポータブル機として構成する場合には、例えば、スピーカ１１８，１１９の代わりに、ヘッドホンやイヤホンが接続される。
【００２５】
付加情報は、伝送路復号化部１１３で伝送路復号化された後、受信機１００のシステムコントローラ１２０に取り込まれる。
【００２６】
システムコントローラ１２０は、ＣＰＵ１２１を備え、そのバス１２２に、後述の送信処理ルーチンなどを含むプログラムや、付加情報の表示用の文字フォントなどの固定データが格納されたＲＯＭ１２３、およびＣＰＵ１２１のワークエリアなどとして機能するＲＡＭ１２４が接続される。
【００２７】
また、バス１２２には、付加情報の格納用のメモリ１３０が接続される。ただし、メモリ１３０として、ＲＡＭ１２４の一部のエリアを用いることもできる。メモリ１３０としては、比較的小容量のものが用いられ、そのため、メモリ１３０が一杯になったときには、古い付加情報が破棄され、新たな付加情報が蓄えられるように構成される。
【００２８】
さらに、バス１２２には、操作部１４０、ＬＣＤ駆動部１５０、およびデータ通信部１７０が接続され、ＬＣＤ駆動部１５０には、ＬＣＤ１６０が接続される。データ通信部１７０は、上述した通信手段３００の一部を構成するものである。
【００２９】
図３は、ＰＣ２００の一例を示す。ＰＣ２００は、ＣＰＵ２１１を備え、そのバス２１２に、キャッシュメモリ２１３、メインメモリ２１４、および記憶装置２１５が接続される。記憶装置２１５は、例えばハードディスク装置で、これに、ＯＳ（Ｏｐｅｒａｔｉｎｇ  Ｓｙｓｔｅｍ）、および後述の送信処理ルーチンなどを含むアプリケーションプログラムが格納されるとともに、後述のように付加情報が記録される。
【００３０】
さらに、バス２１２には、操作部２４０、表示制御部２５０、データ通信部２７０、およびネットワーク通信部２８０が接続され、表示制御部２５０には、表示部２６０が接続される。データ通信部２７０は、上述した通信手段３００の一部を構成するものであり、ネットワーク通信部２８０は、通信ネットワーク４００上にデータを送信し、通信ネットワーク４００上からデータを受信するものである。
【００３１】
〔付加情報転送方法の実施形態〕
（第１の例）
上述したシステムでは、第１の例として、受信機１００からは、受信した付加情報を、そのままＰＣ２００に送信し、ＰＣ２００上で、受信機１００から受信した付加情報中に、あらかじめＰＣ２００に設定されたキー情報が含まれているか否かを判断し、キー情報が含まれているときには、その付加情報を通信ネットワーク４００上に送信して、あらかじめ指定された送信先の情報処理端末に転送する。
【００３２】
キー情報は、あらかじめ利用者が操作部２４０での入力操作によってＰＣ２００に設定する。キー情報は、利用者の好きな番組のカテゴリーや好きなアーティストの名前など、付加情報の一部として付加情報内に記述される情報とし、付加情報がテキストデータである場合には、その実データ内のある文字列とする。
【００３３】
キー情報としては、一つのキーワードに限らず、複数のキーワードを、それらの論理和または論理積の形式で、設定することができるようにする。
【００３４】
また、例えば、あるアーティストの名前が「山田太郎」であるとき、音声情報に多重されて放送される付加情報中のアーティスト名としては、常に「山田太郎」と記述されるとは限らず、全てカタカナで「ヤマダタロウ」と記述され、またはローマ字で「Ｙａｍａｄａ  Ｔａｒｏ」「ＹＡＭＡＤＡ  Ｔａｒｏ」「Ｔａｒｏ  Ｙａｍａｄａ」「Ｔａｒｏ  ＹＡＭＡＤＡ」などと記述されることもあり得る。米国のアーティスト名などについても、ミドルネームを省略し、または省略しないなど、幾通りかに記述されることが考えられる。
【００３５】
そのために、利用者がキー情報として幾つかのキーワードを入力するのでは、利用者にとって煩わしい。また、利用者自身が、「山田太郎」と入力しないで、「ヤマダタロウ」「Ｙａｍａｄａ  Ｔａｒｏ」などと入力することも考えられる。
【００３６】
そこで、ＰＣ２００のＣＰＵ２１１が付加情報中にキー情報が含まれているか否かを判断するに当たっては、上記のような幾通りかの記述の間で付加情報とキー情報が相違するだけのときには、付加情報中にキー情報が含まれていると判断するように、ＣＰＵ２１１が行う送信処理ルーチンのソフトウェアを構成する。
【００３７】
送信先の情報処理端末は、あらかじめ利用者が、その情報処理端末のＩＤをＰＣ２００に入力することによって指定する。
【００３８】
図４および図５は、このようにＰＣ２００上で付加情報を選択する場合の、受信機１００のＣＰＵ１２１およびＰＣ２００のＣＰＵ２１１が行う送信処理ルーチンを示す。
【００３９】
図４の受信機１００側の送信処理ルーチン１０では、受信機１００のＣＰＵ１２１は、ステップ１１で、放送を受信することによって送信処理を開始して、まずステップ１２で、その受信した番組の付加情報を取得し、次にステップ１３に進んで、その付加情報をメモリ１３０に格納し、次にステップ１４に進んで、その付加情報をデータ通信部１７０によってＰＣ２００に送信する。
【００４０】
図５のＰＣ２００側の送信処理ルーチン２０では、ＰＣ２００のＣＰＵ２１１は、ステップ２１で、データ通信部２７０によって受信機１００から付加情報を受信することによって送信処理を開始して、まずステップ２２で、その受信した付加情報をメインメモリ２１４に一時保存し、次にステップ２３に進んで、その付加情報中に、上記のようにＰＣ２００に設定されたキー情報が含まれているか否かを判断し、含まれているときには、ステップ２３からステップ２４に進んで、その付加情報を付加情報ファイルとして記憶装置２１５に記録した上で、ステップ２５に進んで、その付加情報ファイルをネットワーク通信部２８０によって通信ネットワーク４００上に送信する。
【００４１】
付加情報ファイルは、インターネットプロトコルなどの、通信ネットワーク４００上のプロトコルに従ったフォーマットに変換され、送信元であるＰＣ２００のＩＤ、およびあらかじめ利用者によって指定された送信先の情報処理端末のＩＤが付加されて、通信ネットワーク４００上に送信される。したがって、指定された送信先の情報処理端末で、キー情報が含まれている付加情報を受信することができる。
【００４２】
メインメモリ２１４に一時保存した付加情報中にキー情報が含まれていないときには、ステップ２３からステップ２６に進んで、その付加情報をメインメモリ２１４から廃棄して、通信ネットワーク４００上に送信することなく、送信処理を終了する。
【００４３】
上述した例によれば、利用者が必要とする付加情報のみを、受信機１００での受信中に利用者が受信機１００の場所に居ない場合や、利用者があらかじめ番組を分かっていない場合でも確実に、受信機１００から離れた場所に転送し、受信機１００から離れた場所で受信することができる。
【００４４】
具体的に、利用者は、例えば、東京の自宅に設置した受信機１００およびＰＣ２００によって、東京で放送される番組を受信し、付加情報を通信ネットワーク４００上に送信できるようにしておけば、東京で放送された番組の、あらかじめ自分が設定したキー情報が含まれている付加情報を、その番組が放送されていない出張先や旅行先で、ＰＣ５１０，５２０、携帯電話機５３０、ページャー５４０などによって、受け取ることができる。また、例えば、受信機１００およびＰＣ２００を使用する利用者から、ＰＣ５１０などを使用する別の利用者に対して、キー情報が含まれている付加情報を転送することもできる。
【００４５】
付加情報には、ヘッダ部とデータ部が存在するものがある。この場合のヘッダ部は、データ部の実データのフォーマットやデータ長などを示す情報である。例えば、上述したように、データ部の実データがＪＰＥＧファイルであるとき、ヘッダ部にはＪＰＥＧファイルであることを示す情報が配列される。
【００４６】
この場合、付加情報として、データ部だけでなくヘッダ部も、受信機１００からＰＣ２００に送信されるように構成することによって、利用者はキー情報として、付加情報のヘッダ部に含まれる情報、例えばデータ部の実データのフォーマットを示す情報を設定することができ、ＰＣ２００の記憶装置２１５にはデータ部の実データのみを記録し、通信ネットワーク４００上にはデータ部の実データのみを送信することができる。
【００４７】
上述した例は、キー情報が含まれている付加情報のみを、通信ネットワーク４００上に送信する場合であるが、付加情報とともに、これが関連する番組の音声情報も、受信機１００からＰＣ２００に送信し、そのうちのキー情報が含まれている付加情報とともに、これが関連する番組の音声情報を、ＰＣ２００から通信ネットワーク４００上に送信することもできる。これによれば、利用者は、受信機１００から離れた場所で、付加情報を表示できるだけでなく、音声情報を聴くことができる。
【００４８】
また、ＰＣ２００上で、タイムスタンプや、あらかじめ利用者によって入力されたタグや見出しなどのユーザ情報など、ＰＣ２００で得られる情報を、付帯情報として付加情報ファイルに付加して、通信ネットワーク４００上に送信することができ、これによれば、送信先の情報処理端末上でファイルを検索閲覧する手助けとなる。
【００４９】
また、デジタルラジオ放送の放送によっては、受信している番組の付加情報だけでなく、放送されている全ての番組の付加情報を受信できるものがある。この場合には、受信機１００で、放送されている全ての番組の付加情報を受信してＰＣ２００に送信し、ＰＣ２００で、そのうちのキー情報が含まれている付加情報を通信ネットワーク４００上に送信することができ、これによれば、送信先の情報処理端末では受信機１００で受信していない番組の付加情報も得ることができる。
【００５０】
（第２の例）
上述したシステムでは、第２の例として、受信機１００上で、受信した付加情報中にキー情報が含まれているか否かを判断し、キー情報が含まれているときには、その付加情報を受信機１００からＰＣ２００に送信し、さらにＰＣ２００から通信ネットワーク４００上に送信して、あらかじめ指定された送信先の情報処理端末に転送する。
【００５１】
キー情報は、一つの方法として、あらかじめ利用者が操作部２４０での入力操作によってＰＣ２００に設定し、受信機１００とＰＣ２００が通信手段３００によって接続されたとき、ＰＣ２００から受信機１００に送信されるようにし、あるいは別の方法として、あらかじめ利用者が操作部１４０での入力操作によって受信機１００に設定する。
【００５２】
この場合も、受信機１００のＣＰＵ１２１が付加情報中にキー情報が含まれているか否かを判断するに当たっては、上記のような幾通りかの記述の間で付加情報とキー情報が相違するだけのときには、付加情報中にキー情報が含まれていると判断するように、ＣＰＵ１２１が行う送信処理ルーチンのソフトウェアを構成する。
【００５３】
図６および図７は、このように受信機１００上で付加情報を選択する場合の、受信機１００のＣＰＵ１２１およびＰＣ２００のＣＰＵ２１１が行う送信処理ルーチンを示す。
【００５４】
図６の受信機１００側の送信処理ルーチン３０では、受信機１００のＣＰＵ１２１は、ステップ３１で、放送を受信することによって転送処理を開始して、まずステップ３２で、その受信した番組の付加情報を取得し、次にステップ３３に進んで、その付加情報をメモリ１３０に格納し、次にステップ３４に進んで、その付加情報中に、上記のようにＰＣ２００から受信機１００に送信された、または受信機１００に設定されたキー情報が含まれているか否かを判断し、含まれているときには、ステップ３４からステップ３５に進んで、その付加情報をデータ通信部１７０によってＰＣ２００に送信する。
【００５５】
メモリ１３０に格納した付加情報中にキー情報が含まれていないときには、その付加情報をＰＣ２００に送信することなく、送信処理を終了する。
【００５６】
図７のＰＣ２００側の送信処理ルーチン４０では、ＰＣ２００のＣＰＵ２１１は、ステップ４１で、データ通信部２７０によって受信機１００から付加情報を受信することによって送信処理を開始して、まずステップ４２で、その受信した付加情報を、そのまま付加情報ファイルとして記憶装置２１５に記録した上で、ステップ４３に進んで、その付加情報ファイルをネットワーク通信部２８０によって通信ネットワーク４００上に送信する。
【００５７】
この場合も、付加情報ファイルは、通信ネットワーク４００上のプロトコルに従ったフォーマットに変換され、送信元であるＰＣ２００のＩＤ、およびあらかじめ利用者によって指定された送信先の情報処理端末のＩＤが付加されて、通信ネットワーク４００上に送信される。したがって、指定された送信先の情報処理端末で、キー情報が含まれている付加情報を受信することができる。
【００５８】
上述した例によれば、第１の例と同様に、利用者が必要とする付加情報のみを、受信機１００での受信中に利用者が受信機１００の場所に居ない場合や、利用者があらかじめ番組を分かっていない場合でも確実に、受信機１００から離れた場所に転送し、受信機１００から離れた場所で受信することができる。
【００５９】
この例でも、付加情報にヘッダ部とデータ部が存在する場合には、利用者はキー情報として、付加情報のヘッダ部に含まれる情報を設定することができる。また、キー情報が含まれている付加情報とともに、これが関連する番組の音声情報を、受信機１００からＰＣ２００に送信し、さらにＰＣ２００から通信ネットワーク４００上に送信して、送信先の情報処理端末に転送することができる。さらに、ＰＣ２００上で、ＰＣ２００で得られる情報を、付帯情報として付加情報ファイルに付加して、通信ネットワーク４００上に送信することができる。
【００６０】
また、受信機１００で、放送されている全ての番組の付加情報を受信し、そのうちのキー情報が含まれている付加情報を、受信機１００からＰＣ２００に送信し、さらにＰＣ２００から通信ネットワーク４００上に送信して、送信先の情報処理端末に転送することができる。
【００６１】
〔他の実施形態〕
上述した実施形態は、音声情報に付加情報が多重されたデジタルラジオ放送を受信して、付加情報を送信元の情報処理端末から通信ネットワークを介して送信先の情報処理端末に転送する場合であるが、この発明は、デジタルラジオ放送に限らず、映像情報（および音声情報）に付加情報が多重されたデジタルテレビ放送など、一般に、音声情報または映像情報に付加情報が多重された放送を受信して、付加情報を送信元の情報処理端末から通信ネットワークを介して送信先の情報処理端末に転送する場合に、適用することができる。
【００６２】
また、受信機を送信元の情報処理端末に組み込んで情報処理端末と一体化する場合にも、この発明を適用することができる。
【００６３】
【発明の効果】
上述したように、この発明によれば、利用者が必要とする付加情報のみを、受信機での受信中に利用者が受信機の場所に居ない場合や、利用者があらかじめ番組を分かっていない場合でも確実に、受信機から離れた場所に転送し、受信機から離れた場所で受信することができる。またこれと共に、この発明によれば、利用者が必要とする付加情報に関連する番組の主情報を、受信機から離れた場所で受信することができる。
【図面の簡単な説明】
【図１】この発明の付加情報転送方法を行うシステムの一例を示す図である。
【図２】受信機の一例を示す図である。
【図３】送信元の情報処理端末の一例を示す図である。
【図４】この発明の付加情報転送方法の第１の例において受信機のＣＰＵが行う送信処理ルーチンを示す図である。
【図５】この発明の付加情報転送方法の第１の例において送信元の情報処理端末のＣＰＵが行う送信処理ルーチンを示す図である。
【図６】この発明の付加情報転送方法の第２の例において受信機のＣＰＵが行う送信処理ルーチンを示す図である。
【図７】この発明の付加情報転送方法の第２の例において送信元の情報処理端末のＣＰＵが行う送信処理ルーチンを示す図である。
【符号の説明】
主要部については図中に全て記述したので、ここでは省略する。
【図１】
0004556083.tif 000002
【図２】
0004556083.tif 000003
【図３】
0004556083.tif 000004
【図４】
0004556083.tif 000005
【図５】
0004556083.tif 000006
【図６】
0004556083.tif 000007
【図７】
0004556083.tif 000008